(57)【要約】      （修正有）【課題】従来の包装体において、注出口部の先端部を切離し内容物が取り出されているが、その際、包装体の本体部と切り離し先端部は一切の繋がりが無くなり完全に遊離されていた。また、前記切離し先端部は大変小さな部分である為、内容物の移し替え作業中に紛失しゴミとして散らばっていた。更に、エコの観点から見ても前期切離し先端部をその場で紛失した場合は、完全なゴミの分類を困難にしていた為その改善を目的とする。【解決手段】少なくとも２枚の積層フィルムを貼り合せ、かつ前記積層フィルムの外周縁をシールした包装体で、更に、手で切り裂くことのできる注出口部を有する包装体において、難破断材を用いるか、または、熱処理やプレス加工等で、注出口部の開封誘導線５上に難破断部３を設ける事により、包装体の本体部１と切離し先端部２を切離し後も連続するよう形成する。【選択図】図１
2011111162.tif 000002
【特許請求の範囲】
【請求項１】
少なくとも２枚の積層フィルムを貼り合せ、かつ前記積層フィルムの外周縁をシールした包装体で、更に、手で切り裂くことのできる注出口部を有する包装体において、注出口部の開封誘導線上に難破断部を設ける事により、包装体の本体部と切離し先端部を切離し後も連続するよう形成したことを特徴とする包装体。
【請求項２】
前記積層フィルムと異なる材質の帯状難破断材を用いて前記難破断部とする。そして、前記帯状難破断材とは、引っ張るとある程度伸びがあり、しかも切れ難くい材質のものであることを特徴とする請求項１記載の包装体。
【請求項３】
外周縁シール部において、前記開封誘導線を支点とし、前記包装体の本体部と前記切離し先端部が繋がるように、前記積層フィルムが重なり合う積層部分に前記帯状難破断材を挿入し共にシールすることを特徴とする請求項２記載の包装体。
【請求項４】
前記開封誘導線を支点とし、前記包装体の本体部と前記切離し先端部が繋がるように、前記帯状難破断材を包装体表面に貼着することを特徴とする請求項２記載の包装体。
【請求項５】
前記積層フィルムを熱処理やプレス加工等の方法により、前記包装体の本体部と前記切離し先端部を繋ぐよう前記開封誘導線上の一部を破断され難く加工し前記難破断部とすることを特徴とする請求項１記載の包装体。
【請求項６】
線状の溝からなる前期開封誘導線の終端部だけ線状の溝を付けないことにより、前記開封誘導線の終端部を切れ難く加工し前記難破断部とすることを特徴とする請求項１記載の包装体。
【発明の詳細な説明】
【技術分野】
【０００１】
本発明は、包装体注出口部の開封誘導線上に難破断部を設けることにより、包装体の本体部と切離し先端部を切離し後も連続することに関するものである。
【背景技術】
【０００２】
従来の包装体において、注出口部の先端部を切離し内容物が取り出されているが、その際、包装体の本体部と切り離し先端部は一切の繋がりが無くなり完全に遊離されていた。
【先行技術文献】
【特許文献】
【０００３】
【特許文献１】特開２００８−８１２０９号公開公報
【発明の概要】
【発明が解決しようとする課題】
【０００４】
従来の包装体において、注出口部の先端部を切離し内容物が取り出されていたが、その際、包装体の本体部と切り離し先端部は一切の繋がりが無くなり完全に遊離されていた。また、前記切離し先端部は大変小さな部分である為、内容物の移し替え作業中に紛失しゴミとして散らばっていた。更に、エコの観点から見ても前期切離し先端部をその場で紛失した場合は、完全なゴミの分類を困難にしていた。
【課題を解決するための手段】
【０００５】
少なくとも２枚の積層フィルムを貼り合せ、かつ前記積層フィルムの外周縁をシールした包装体で、更に、手で切り裂くことのできる注出口部を有する包装体において、注出口部の開封誘導線上に難破断部を設ける事により、包装体の本体部と切離し先端部を切離し後も連続するよう形成する。
【０００６】
また、前記難破断部については、前記積層フィルムと異なる材質の帯状難破断材を用いる。そして、前記帯状難破断材とは、引っ張るとある程度伸びがあり、しかも切れ難くい材質のものである。
【０００７】
そこで、具体的な形成方法として、まず、外周縁シール部において、前記開封誘導線を支点とし、前記包装体の本体部と前記切離し先端部が繋がるように、前記積層フィルムが重なり合う積層部分に前記帯状難破断材を挿入し共にシールする。
【０００８】
もしくは、前記開封誘導線を支点とし、前記包装体の本体部と前記切離し先端部が繋がるように、前記帯状難破断材を包装体表面に貼着する。
【０００９】
または、前記積層フィルムを熱処理やプレス加工などの方法で、前記包装体の本体部と前記切離し先端部を繋ぐように、前記開封誘導線上の一部を破断され難く加工する。
【００１０】
もしくは、線状の溝からなる前期開封誘導線の終端部だけ線状の溝を付けないことにより、前記開封誘導線の終端部を切れ難く加工する。
以上のことにより、前記包装体の本体部と前記切離し先端部は切離し後も連続する。
【発明の効果】
【００１１】
本発明の包装体は、包装体の本体部と切離し先端部が切り離し後も一部繋がりが残ることにより、例えば、切離し先端部を切離し後に一旦何処かに置いておき、内容物の移し替え作業終了後にまた拾うという手間が省ける。更に、切離し先端部の小さな部分がゴミとして散らばらない。しかも、既存の包装体形成方法はそのままに、一つの部材を追加するか、または、加工処理を一つ加えるだけという大変簡単な方法である為、安価なコストで改善出来る。
【図面の簡単な説明】
【００１２】
【図１】本発明に関わる一実施例の側面を示す説明図
【図２】本発明に関わる注出口部における開封誘導線の断面を示す説明図
【図３】本発明に関わる注出口部における開封誘導線の断面を示す説明図
【図４】本発明に関わる切離し先端部を切離し後の側面を示す説明図
【図５】本発明に関わる一実施例の側面を示す説明図
【発明を実施するための形態】
【００１３】
以下、本発明の実施の形態を図１から図５を参照して説明する。
【実施例】
【００１４】
本発明の実施例をまず図１を参照して説明する。少なくとも２枚の積層フィルムを貼り合せ、かつ前記積層フィルムの外周縁をシールしてなる包装体で、更に、手で切り裂くことのできる注出口部を有する包装体において、開封誘導線５と切離し終端部が交わる部分を支点とし、包装体の本体部１と切離し先端部２が切離し後も連続するよう開封誘導線５上に難破断部３を設ける。この前記難破断部３により、前記包装体の本体部１と前期切離し先端部２が切離し後も繋がりが残り連続状態が保たれる。
【００１５】
そこで、第１実施形態の包装体について、図２及び図３を参照して説明する。前記難破断部３において、外周縁シール部６のフィルムとフィルムが重なり合う積層部分に前記帯状難破断材７を挿入し、更に、開封誘導線５を支点とし、数ミリメートルから１０ミリメートル程度ずつ前記包装体の本体部１と前期切離し先端部２に架かるよう帯状難破断材７を配置し、共にシールすることにより、前記開封誘導線５に沿って切り裂いても、前記包装体の本体部１と前期切離し先端部２は帯状難破断材７により連続状態が保たれる。
【００１６】
次に、第２実施形態の包装体について、図２及び図４を参照して説明する。前記難破断部３において、前記開封誘導線５を支点とし、数ミリメートルから１０ミリメートル程度ずつ前記包装体の本体部１と前期切離し先端部２に架かるよう包装体表面に前記帯状難破断材７を配置し、接着または熱溶着等の方法により貼着することにより、前記開封誘導線５に沿って切り裂いても、前記包装体の本体部１と前期切離し先端部２は帯状難破断材７により連続状態が保たれる。
【００１７】
そして、前記帯状難破断材７については、例えば磁気テープに用いられているポリエステルフィルムなどのように、引っ張るとある程度伸びがあり、しかも、切れ難くい材質である。この、ある程度伸びるということにより、前記包装体の本体部１と前記切離し先端部２との間に、切離し後適度な距離が生まれ、内容物の移し替え作業の際に前期切離し先端部２が邪魔にならない。
【００１８】
更に、前記帯状難破断材７は、包装体積層部の間に挿入し共にシールしたり、または、包装体表面に貼着する等の方法により接合される為、形状的にはフィルム状の薄く帯状なものが適当である。このことにより、包装体の形成は容易になり、更に、包装体表面の凹凸が少なく視覚的にも綺麗に形成できる。
【００１９】
次に、第３実施形態の包装体について、図１を参照して説明する。前記難破断部３において、前記積層フィルムを熱処理やプレス加工などの方法により、前記開封誘導線５の終端部を破断され難く加工する事により、開封誘導線５の終端部は切れ難くなり、前記包装体の本体部１と前記切離し先端部２が前記開封誘導線５の終端部において切り離し後も連続状態が保たれる。
【００２０】
次に、第４実施形態の包装体について、図５を参照して説明する。線状の溝からなる前期開封誘導線５の終端部だけ線状の溝を付けないことにより、開封誘導線５の終端部は切れ難くなり、前記包装体の本体部１と前記切離し先端部２が前記開封誘導線５の終端部において切り離し後も連続状態が保たれる。
【００２１】
以上のことにより、前記包装体の本体部１と前記切離し先端部２は切離し後も連続する。しかも、既存の包装体形成方法はそのままに、一つの部材を追加するか、または、加工処理を一つ加えるだけという大変簡単な方法で改善出来る。
【産業上の利用可能性】
【００２２】
本発明に係る包装体としては、シャンプー・リンス・ハンドソープ等の各種洗剤における詰め替え用パウチの他、食品用詰め替え用パウチ、または、工業用や医療用パウチなど幅広く応用できる。
【符号の説明】
【００２３】
１  包装体の本体部
２  切離し先端部
３  難破断部
４  注出口部
５  開封誘導線
６  外周縁シール部
７  帯状難破断材
【図１】
2011111162.tif 000003
【図２】
2011111162.tif 000004
【図３】
2011111162.tif 000005
【図４】
2011111162.tif 000006
【図５】
2011111162.tif 000007